(57)【要約】【課題】レンズに入射した斜光が隣のレンズに漏れることを抑制すること。【解決手段】マイクロレンズ１００は、レンズ部１１１とレンズ部１１２とを有する。レンズ部１１１とレンズ部１１２との間には、接続部１２１ａ，１２２ａと、隙間１３１ａとが設けられる。接続部１２１ａ，１２２ａは、レンズ部１１１とレンズ部１１２とがつながっている部分である。隙間１３１ａは、レンズ部１１１とレンズ部１１２とがつながっていない部分であり、たとえば空気で満たされる。レンズ部１１１に対応するＶＣＳＥＬ１５１から出射されたレーザ光１７１ａは、レンズ部１１１に入射した後、レンズ部１１１と隙間１３１ａとの境界面Ｐ１でレンズ部１１１側に全反射し、レンズ部１１１内を再度進行してレンズ部１１１から出射される。【選択図】図１
2019101244.tif 000002
【特許請求の範囲】
【請求項１】
それぞれ光を出射する第１発光素子および第２発光素子と、
前記第１発光素子から入射した光を透過させて出射する第１レンズ部と、前記第１レンズ部と隣り合い、前記第２発光素子から入射した光を透過させて出射する第２レンズ部と、を含む一体のレンズ部材と、
を備え、前記レンズ部材は、前記第１レンズ部と前記第２レンズ部との間に隙間が設けられている、
ことを特徴とする光モジュール。
【請求項２】
前記レンズ部材は、前記第１レンズ部に入射した光のうち前記第１レンズ部と前記隙間との境界面に到達した光を全反射させることを特徴とする請求項１に記載の光モジュール。
【請求項３】
前記レンズ部材は、前記第１レンズ部と前記第２レンズ部との間に、前記第１発光素子から出射された光が前記第２レンズ部に入射しないように遮光する遮光板を有することを特徴とする請求項１または２に記載の光モジュール。
【請求項４】
前記レンズ部材は、前記第２レンズ部に、前記第１発光素子から出射された光が前記第２レンズ部に入射しないように遮光する遮光膜を有することを特徴とする請求項１〜３のいずれか一つに記載の光モジュール。
【請求項５】
前記隙間は、前記第１レンズ部および前記第２レンズ部の各光軸と平行なスリットであることを特徴とする請求項１〜４のいずれか一つに記載の光モジュール。
【発明の詳細な説明】
【技術分野】
【０００１】
本発明は、光モジュールに関する。
【背景技術】
【０００２】
従来、たとえばアレイ状に並んだレーザダイオードなどの複数の光学素子と、それぞれの光学素子に対応するレンズと、を有する光モジュールがある。また、物体の縮小倒立像を形成する第１のレンズと、第１のレンズが形成した像の拡大倒立像を形成する第２のレンズとを有するレンズ対を、略直線状に複数配列したレンズアレイを備えるレンズユニットが知られている（たとえば、下記特許文献１参照。）。
【先行技術文献】
【特許文献】
【０００３】
【特許文献１】特開２０１２−１８９９１５号公報
【発明の概要】
【発明が解決しようとする課題】
【０００４】
しかしながら、従来技術では、レンズに入射した斜光が隣のレンズに漏れるという問題がある。光が隣のレンズに漏れると、たとえば光信号の品質が劣化する。
【０００５】
１つの側面では、本発明は、レンズに入射した斜光が隣のレンズに漏れることを抑制することができる、光モジュールを提供することを目的とする。
【課題を解決するための手段】
【０００６】
１つの実施態様では、それぞれ光を出射する第１発光素子および第２発光素子と、前記第１発光素子から入射した光を透過させて出射する第１レンズ部と、前記第１レンズ部と隣り合い、前記第２発光素子から入射した光を透過させて出射する第２レンズ部と、を含む一体のレンズ部材と、を備え、前記レンズ部材は、前記第１レンズ部と前記第２レンズ部との間に隙間が設けられている、光モジュールが提案される。
【発明の効果】
【０００７】
１つの側面では、本発明は、レンズに入射した斜光が隣のレンズに漏れることを抑制することができる。
【図面の簡単な説明】
【０００８】
【図１】図１は、実施の形態１にかかるマイクロレンズの一例を示す正面図である。
【図２】図２は、実施の形態１にかかるマイクロレンズの一例を示す上面図である。
【図３】図３は、実施の形態１にかかるマイクロレンズの他の一例を示す下面図である。
【図４】図４は、実施の形態１にかかるマイクロレンズの他の一例を示す上面図である。
【図５】図５は、実施の形態１にかかるマイクロレンズの他の一例を示す断面図である。
【図６】図６は、実施の形態１にかかる光モジュールの一例を示す断面図である。
【図７】図７は、実施の形態１にかかる光モジュールの一部の一例を示す断面図である。
【図８】図８は、実施の形態２にかかるマイクロレンズの一例を示す正面図である。
【図９】図９は、実施の形態２にかかるマイクロレンズの一例を示す上面図である。
【図１０】図１０は、実施の形態２にかかるマイクロレンズの他の一例を示す下面図である。
【図１１】図１１は、実施の形態２にかかるマイクロレンズの他の一例を示す上面図である。
【図１２】図１２は、実施の形態２にかかるマイクロレンズの他の一例を示す断面図である。
【図１３】図１３は、実施の形態３にかかるマイクロレンズの一例を示す正面図である。
【図１４】図１４は、実施の形態３にかかるマイクロレンズの一例を示す上面図である。
【図１５】図１５は、実施の形態３にかかるマイクロレンズの他の一例を示す下面図である。
【発明を実施するための形態】
【０００９】
以下に図面を参照して、本発明にかかる光モジュールの実施の形態を詳細に説明する。
【００１０】
（実施の形態１）
（実施の形態１にかかるマイクロレンズの一例）
図１は、実施の形態１にかかるマイクロレンズの一例を示す正面図である。図２は、実施の形態１にかかるマイクロレンズの一例を示す上面図である。図１および図２に示す実施の形態１にかかるマイクロレンズ１００は、実施の形態１にかかる光モジュールが備えるレンズ部材の一例である。マイクロレンズ１００には、たとえば実施の形態１にかかる光モジュールが備える光学素子から出射された光が入射する。実施の形態１にかかる光モジュールについては後述する（たとえば図６，図７参照）。
【００１１】
マイクロレンズ１００は一体のレンズ部材である。一体のレンズ部材とは、レンズとして作用する部分を有する１つの部材である。図１および図２に示すように、マイクロレンズ１００は、たとえばアレイ状に配置されたレンズ部１１１〜１１６を有する。レンズ部１１１〜１１６のそれぞれは、マイクロレンズ１００の一部分であり、レンズとして作用する。
【００１２】
たとえば、レンズ部１１１は、ＶＣＳＥＬ１５１と光ファイバ１６１とに対応するレンズ部である。ＶＣＳＥＬ１５１はレーザ光１７１ａをレンズ部１１１に出射する。たとえば、レーザ光１７１ａは、光ファイバ１６１により送信するための光信号である。ＶＣＳＥＬ１５１から出射されたレーザ光１７１ａは、レンズ部１１１におけるＶＣＳＥＬ１５１側の部分に形成された凸レンズ部１１１ａからレンズ部１１１に入射する。レンズ部１１１は、レンズ部１１１に入射したレーザ光を、レンズ部１１１における光ファイバ１６１側の部分に形成された凸レンズ部１１１ｂから光ファイバ１６１に出射する。たとえば、凸レンズ部１１１ａからレンズ部１１１に入射したレーザ光は、凸レンズ部１１１ａと凸レンズ部１１１ｂとの間の中間部１１１ｃを透過して、凸レンズ部１１１ｂから出射される。凸レンズ部１１１ｂから出射されたレーザ光１７１ｂは光ファイバ１６１に入射する。光ファイバ１６１は、光ファイバ１６１に入射したレーザ光を実施の形態１にかかる光モジュールの対向装置へ伝送する。
【００１３】
また、たとえば、レンズ部１１２は、ＶＣＳＥＬ１５２と光ファイバ１６２とに対応するレンズ部である。ＶＣＳＥＬ１５２はレーザ光１７２ａをレンズ部１１２に出射する。たとえば、レーザ光１７２ａは、光ファイバ１６２により送信するための光信号である。ＶＣＳＥＬ１５２から出射されたレーザ光１７２ａは、レンズ部１１２におけるＶＣＳＥＬ１５２側の部分に形成された凸レンズ部１１２ａからレンズ部１１２に入射する。レンズ部１１２は、レンズ部１１２に入射したレーザ光を、レンズ部１１２における光ファイバ１６２側の部分に形成された凸レンズ部１１２ｂから光ファイバ１６２に出射する。たとえば、凸レンズ部１１２ａからレンズ部１１２に入射したレーザ光は、凸レンズ部１１２ａと凸レンズ部１１２ｂとの間の中間部１１２ｃを透過して、凸レンズ部１１２ｂから出射される。凸レンズ部１１２ｂから出射されたレーザ光１７２ｂは光ファイバ１６２に入射する。光ファイバ１６２は、光ファイバ１６１に入射したレーザ光を実施の形態１にかかる光モジュールの対向装置へ伝送する。
【００１４】
同様に、レンズ部１１３〜１１６は、それぞれＶＣＳＥＬ１５３〜１５６と光ファイバ１６３〜１６６とに対応するレンズ部である。ＶＣＳＥＬ１５３〜１５６はそれぞれレーザ光１７３ａ〜１７６ａをそれぞれレンズ部１１３〜１１６に出射する。レーザ光１７３ａ〜１７６ａは、それぞれ光ファイバ１６３〜１６６により送信するための光信号である。ＶＣＳＥＬ１５３〜１５６から出射されたレーザ光１７３ａ〜１７６ａは、凸レンズ部１１３ａ〜１１６ａからレンズ部１１３〜１１６に入射する。レンズ部１１３〜１１６は、それぞれレンズ部１１３〜１１６に入射したレーザ光を、それぞれ凸レンズ部１１３ｂ〜１１６ｂからそれぞれ光ファイバ１６３〜１６６に出射する。たとえば、凸レンズ部１１３ａ〜１１６ａからレンズ部１１３〜１１６に入射したレーザ光は、それぞれ凸レンズ部１１３ａ〜１１６ａと凸レンズ部１１３ｂ〜１１６ｂとの間の中間部を透過して、それぞれ凸レンズ部１１３ｂ〜１１６ｂから出射される。それぞれ凸レンズ部１１３ｂ〜１１６ｂから出射されたレーザ光１７３ｂ〜１７６ｂは、それぞれ光ファイバ１６３〜１６６に入射する。光ファイバ１６３〜１６６は、それぞれ光ファイバ１６３〜１６６に入射したレーザ光を実施の形態１にかかる光モジュールの対向装置へ伝送する。
【００１５】
ＶＣＳＥＬ１５１〜１５６は、実施の形態１にかかる光モジュールが備える光学素子の一例である。ＶＣＳＥＬはＶｅｒｔｉｃａｌ  Ｃａｖｉｔｙ  Ｓｕｒｆａｃｅ  Ｅｍｉｔｔｉｎｇ  ＬＡＳＥＲの略である。また、光ファイバ１６１〜１６６は、実施の形態１にかかる光モジュールが備える光伝送路の一例である。
【００１６】
レンズ部１１１〜１１６は、たとえば樹脂やガラスなどにより形成されるため、レンズ部１１１〜１１６の屈折率（絶対屈折率）は１よりも大きくなる。レンズ部１１１〜１１６の屈折率の一例は１．５である。また、レンズ部１１１〜１１６のピッチの一例は２５０［μｍ］である。レンズ部１１１〜１１６のピッチは、たとえば隣り合うレンズ部それぞれの凸レンズ部の中心どうしの間の距離、すなわち各レンズ部の配置のピッチである。また、レンズ部１１１〜１１６の各直径の一例は２５０［μｍ］である。また、後述する接続部１２１ａ〜１２１ｅ，１２２ａ〜１２２ｅや隙間１３１ａ〜１３１ｅを設けるために、レンズ部１１１〜１１６のピッチをたとえば２５０［μｍ］よりも大きくしてもよい。
【００１７】
マイクロレンズ１００において、レンズ部１１１〜１１６の隣り合うレンズ部どうしの間には、接続部１２１ａ〜１２１ｅ，１２２ａ〜１２２ｅと、隙間１３１ａ〜１３１ｅとが設けられる。接続部１２１ａ〜１２１ｅ，１２２ａ〜１２２ｅは、レンズ部１１１〜１１６の隣り合うレンズ部どうしがつながっている部分である。ここで、つながっているとは、物理的につながっていることである。物理的につながっているとは、たとえば隙間がないことである。隣り合うレンズ部どうしがつながっている部分が存在することにより、隣り合うレンズ部はその部分によって互いに固定される。たとえば、レンズ部１１１とレンズ部１１２との間の接続部１２１ａ，１２２ａは、レンズ部１１１とレンズ部１１２とがつながっている部分である。接続部１２１ａ〜１２１ｅ，１２２ａ〜１２２ｅにより、レンズ部１１１〜１１６は所定のピッチかつ互いに平行に配置された状態を維持することができる。
【００１８】
たとえば、後述するように、実施の形態１にかかる光モジュールが備える基板には、ＶＣＳＥＬ１５１〜１５５が設けられる。以下の説明において、実施の形態１にかかる光モジュールが備える基板を単に「基板」と表記する場合がある。
【００１９】
ＶＣＳＥＬ１５１〜１５５は、レンズ部１１１〜１１５のピッチと同様のピッチとなるように基板に設けられる。たとえば、レンズ部１１１〜１１５が２５０［μｍ］のピッチで設けられるとする。この場合、ＶＣＳＥＬ１５１〜１５５も２５０［μｍ］のピッチで設けられる。すなわち、ＶＣＳＥＬ１５１〜１５５のピッチも２５０［μｍ］とされる。ＶＣＳＥＬ１５１〜１５５のピッチは、たとえば隣り合うＶＣＳＥＬそれぞれのレーザ光の出射口の中心どうしの間の距離、すなわち各ＶＣＳＥＬの配置のピッチである。
【００２０】
たとえば、実施の形態１にかかる光モジュールの製造者は、その光モジュールの製造時に、ＶＣＳＥＬ１５１〜１５５から出射されるレーザ光１７１ａ〜１７５ａがそれぞれレンズ部１１１〜１１５に入射するようにマイクロレンズ１００の位置合わせを行う。この位置合わせの際に、接続部１２１ａ〜１２１ｅ，１２２ａ〜１２２ｅがあることにより、たとえばレンズ部１１１とＶＣＳＥＬ１５１との位置合わせを行うと、レンズ部１１２〜１１５とＶＣＳＥＬ１５２〜１５５との位置合わせも行われる。このため、マイクロレンズ１００によれば、レンズ部１１１〜１１５とＶＣＳＥＬ１５１〜１５５との位置合わせを個別に行わなくてもよいため、位置合わせの作業を削減することができる。
【００２１】
隙間１３１ａ〜１３１ｅは、レンズ部１１１〜１１６の隣り合うレンズ部どうしの間であって、隣り合うレンズ部どうしがつながっていない部分である。ここで、つながっていないとは、物理的につながっていないことである。物理的につながっていないとは、たとえば離れていることである。たとえば、レンズ部１１１とレンズ部１１２との間の隙間１３１ａは、レンズ部１１１とレンズ部１１２とがつながっていない部分である。また、隙間１３１ａ〜１３１ｅは、たとえば、隣り合うレンズ部の中間部どうしの間に設けられる。たとえば、レンズ部１１１とレンズ部１１２との間の隙間１３１ａは、図１に示すように、中間部１１１ｃと中間部１１２ｃとの間に設けられる。また、隙間１３１ａ〜１３１ｅはたとえば空気により満たされる。この場合、隙間１３１ａ〜１３１ｅの屈折率（絶対屈折率）は１程度となり、レンズ部１１１〜１１６の屈折率よりも低くなる。
【００２２】
したがって、たとえば、レンズ部１１１の光軸に対して傾いた斜光がレンズ部１１１に入射して、その斜光がレンズ部１１１と隙間１３１ａとの境界面に到達した場合、その斜光はレンズ部１１１と隙間１３１ａとの境界面でレンズ部１１１側に全反射する。光軸とは、光学系においてその系全体を通過する光束の代表となる仮想的な光線である。たとえば、光軸は、レンズの中心を通り、レンズ面に垂直な直線（主軸）である。隙間１３１ａは、たとえばレンズ部１１１の光軸と平行に設けられている。レンズ部１１１の光軸は、たとえば凸レンズ部１１１ａの中心と凸レンズ部１１１ｂの中心とを通る直線である。隙間１３１ａをレンズ部１１１の光軸と平行に設けることで、レンズ部１１１の入射側からレンズ部１１１に入射した斜光がレンズ部１１１と隙間１３１ａとの境界面に到達した場合、その斜光はたとえばレンズ部１１１の出射側に全反射する。
【００２３】
同様に、レンズ部１１２〜１１６の各光軸に対して傾いた斜光がレンズ部１１２〜１１６に入射して、その斜光がレンズ部１１２〜１１６と隙間１３１ｂ〜１３１ｅとの境界面に到達したとする。この場合、その斜光はレンズ部１１２〜１１６と隙間１３１ｂ〜１３１ｅとの境界面でレンズ部１１２〜１１６側に全反射する。また、隙間１３１ｂ〜１３１ｅは、たとえばそれぞれレンズ部１１２〜１１６の光軸と平行に設けられている。レンズ部１１２〜１１６の光軸は、それぞれ凸レンズ部１１２ａ〜１１６ａの中心と凸レンズ部１１１ｂ〜１１６ｂの中心とを通る直線である。隙間１３１ｂ〜１３１ｅをレンズ部１１２〜１１６の光軸と平行に設けることで、レンズ部１１２〜１１６の入射側から入射した斜光が隙間１３１ｂ〜１３１ｅとの境界面に到達した場合、その斜光はレンズ部１１２〜１１６の出射側に全反射する。
【００２４】
また、隙間１３１ａ〜１３１ｅは、空気以外の気体により満たされていてもよいし、真空であってもよい。隙間１３１ａ〜１３１ｅの屈折率を小さくするほど、レンズ部１１１〜１１６の屈折率と隙間１３１ａ〜１３１ｅの屈折率との差を大きくできる。したがって、隙間１３１ａ〜１３１ｅの屈折率を小さくするほど、レンズ部１１１〜１１６に入射した斜光を隙間１３１ａ〜１３１ｅとの境界面で全反射させるための臨界角を小さくすることができる。このため、隙間１３１ａ〜１３１ｅの屈折率を小さくするほど、レンズ部１１１〜１１６に入射した斜光を、レンズ部１１１〜１１６と隙間１３１ａ〜１３１ｅとの境界面で全反射させやすくすることができる。隙間１３１ａ〜１３１ｅは、それぞれレンズ部１１１〜１１６の各光軸と平行なスリットの一例である。
【００２５】
たとえば、マイクロレンズ１００は、金型などを用いて、レンズ部１１１〜１１６と接続部１２１ａ〜１２１ｅ，１２２ａ〜１２２ｅとを樹脂やガラスなどにより一体成形することにより実現することができる。これにより、光軸の方向やピッチが一定のレンズ部１１１〜１１６を有し、かつ接続部１２１ａ〜１２１ｅ，１２２ａ〜１２２ｅや隙間１３１ａ〜１３１ｅを有するマイクロレンズ１００を容易に形成することができる。
【００２６】
マイクロレンズ１００とＶＣＳＥＬ１５１〜１５６とを備える光モジュールにおいて、ＶＣＳＥＬ１５１が正規の状態からずれた状態で設けられる場合がある。たとえば、図１に示すように、ＶＣＳＥＬ１５１が、凸レンズ部１１１ａと正対せずにレンズ部１１１に対して斜めに傾いて設けられる場合がある。
【００２７】
ＶＣＳＥＬ１５１がレンズ部１１１に対して斜めに傾いて設けられた場合、ＶＣＳＥＬ１５１から出射されるレーザ光１７１ａの光束の中心も、図１に示すようにレンズ部１１１の光軸に対して傾く。この結果、レンズ部１１１には斜光が入射する。そして、この場合にレンズ部１１１に入射した斜光の光路は、たとえば矢印１８１に示す光路となる。すなわち、この場合にレンズ部１１１に入射した斜光は、たとえば、まず、レンズ部１１１と隙間１３１ａとの境界面の一部であるポイントＰ１までレンズ部１１１内を進行する。そして、ポイントＰ１に到達した斜光は、ポイントＰ１でレンズ部１１１側に全反射し、レンズ部１１１内を再度進行して、凸レンズ部１１１ｂからレーザ光１７１ｂとして光ファイバ１６１へ出射される。
【００２８】
したがって、マイクロレンズ１００によれば、レンズ部１１１に入射した斜光が隙間１３１ａに当たると全反射するので、レンズ部１１１に入射した斜光が隣のレンズ部１１２に漏れることを抑制することができる。このため、マイクロレンズ１００によれば、レンズ部１１１に入射した斜光がレンズ部１１２に漏れるクロストークを低減して、このクロストークによる光信号の劣化を低減することができる。
【００２９】
また、同様に、マイクロレンズ１００とＶＣＳＥＬ１５１〜１５６とを備える光モジュールにおいて、ＶＣＳＥＬ１５２が正規の状態からずれた状態で設けられる場合がある。たとえば、図１に示すように、ＶＣＳＥＬ１５２が、凸レンズ部１１２ａと正対せずにレンズ部１１２に対して斜めに設けられる場合がある。
【００３０】
ＶＣＳＥＬ１５２がレンズ部１１２に対して斜めに設けられた場合、ＶＣＳＥＬ１５２から出射されるレーザ光１７２ａの光束の中心も、図１に示すようにレンズ部１１２の光軸に対して傾く。この結果、レンズ部１１２には斜光が入射する。そして、この場合にレンズ部１１２に入射した斜光の光路は、たとえば矢印１８２に示す光路となる。すなわち、この場合にレンズ部１１２に入射した斜光は、まず、レンズ部１１２と隙間１３１ａとの境界面の一部であるポイントＰ２までレンズ部１１２内を進行する。そして、ポイントＰ２に到達した斜光は、ポイントＰ２でレンズ部１１２側に全反射して、レンズ部１１２内を再度進行した後、凸レンズ部１１２ｂからレーザ光１７２ｂとして光ファイバ１６２へ出射される。
【００３１】
したがって、マイクロレンズ１００によれば、レンズ部１１２に入射した斜光が隙間１３１ａに当たると全反射するので、レンズ部１１２に入射した斜光が隣のレンズ部１１１に漏れることを抑制することができる。このため、マイクロレンズ１００によれば、レンズ部１１２に入射した斜光がレンズ部１１１に漏れるクロストークを低減して、このクロストークによる光信号の劣化を低減することができる。
【００３２】
図１に示したマイクロレンズ１００において、隙間１３１ａを設けた場合と隙間１３１ａを設けなかった場合のそれぞれについて、ＶＣＳＥＬ１５１のレーザ光がレンズ部１１２に漏れるクロストークの量についてのシミュレーションを行った。このシミュレーションにおいては、隙間１３１ａを設けた場合のクロストークの量は０［ｄＢｍ］であり、隙間１３１ａを設けなかった場合のクロストークの量は３．６５３ｅ−８［ｄＢｍ］という結果が得られた。ここで、ｅ−８は１０の−８乗である。また、このシミュレーションはＶＣＳＥＬ１５１がレンズ部１１１と正対して設けられていると仮定した条件で行った。ＶＣＳＥＬ１５１が図１に示したように正規の状態からずれた状態で設けられていると仮定した場合は、隙間１３１ａの有無によるクロストーク量の差はさらに大きくなると考えられる。
【００３３】
以上に説明した例では、マイクロレンズ１００に対応する光学素子としてＶＣＳＥＬ１５１〜１５６を設けるようにしたが、マイクロレンズ１００に対応する光学素子はこれに限らない。たとえば、図１に示すように、ＶＣＳＥＬ１５１の代わりにＰＤ１９１を設けるようにしてもよい。ＰＤはＰｈｏｔｏｄｉｏｄｅの略である。ＰＤ１９１を設けた場合、光ファイバ１６１は、たとえば、実施の形態１にかかる光モジュールの対向装置から光ファイバ１６１に入射されたレーザ光をレンズ部１１１に出射する。光ファイバ１６１から出射されたレーザ光は、凸レンズ部１１１ｂからレンズ部１１１に入射する。そして、レンズ部１１１は、レンズ部１１１に入射したレーザ光を、凸レンズ部１１１ａからＰＤ１９１に出射する。ＰＤ１９１は、ＰＤ１９１に入射した光を受光する。
【００３４】
ＰＤ１９１を設けた場合、たとえば、実施の形態１にかかる光モジュールの対向装置が光ファイバ１６１に対して斜めにレーザ光を入射したり、光ファイバ１６１に角度ずれがあったりする場合がある。この場合、光ファイバ１６１から出射されるレーザ光の光束の中心は、レンズ部１１１の光軸に対して傾く。この結果、レンズ部１１１に斜光が入射して、レンズ部１１１に入射した斜光がレンズ部１１１と隙間１３１ａとの境界面に到達する場合がある。この場合も、マイクロレンズ１００によれば、レンズ部１１１と隙間１３１ａとの境界面に到達した斜光を、レンズ部１１１と隙間１３１ａとの境界面でレンズ部１１１側に全反射させることができる。
【００３５】
したがって、マイクロレンズ１００によれば、ＰＤ１９１を設けた場合も、レンズ部１１１に入射した斜光が隣のレンズ部１１２に漏れることを抑制することができる。このため、マイクロレンズ１００によれば、レンズ部１１１に入射した斜光が隣のレンズ部１１２に漏れるクロストークを低減して、このクロストークによる光信号の劣化を低減することができる。
【００３６】
同様に、ＶＣＳＥＬ１５２〜１５６の代わりにＰＤ１９２〜１９６を設けるようにしてもよい。ＰＤ１９２〜１９６を設けた場合、光ファイバ１６２〜１６６は、たとえば、実施の形態１にかかる光モジュールの対向装置から光ファイバ１６２〜１６６に入射されたレーザ光を、レンズ部１１２〜１１６に出射する。光ファイバ１６２〜１６６から出射されたレーザ光は、凸レンズ部１１２ｂ〜１１６ｂからレンズ部１１２〜１１６に入射する。そして、レンズ部１１２〜１１６は、レンズ部１１２〜１１６に入射したレーザ光を、凸レンズ部１１２ａ〜１１６ａからＰＤ１９２〜１９６に出射する。ＰＤ１９２〜１９６は、ＰＤ１９２〜１９６に入射した光を受光する。
【００３７】
ＰＤ１９２〜１９６を設けた場合も、光ファイバ１６２〜１６６から出射されるレーザ光の光束の中心がレンズ部１１２〜１１６の光軸に対して傾いて、レンズ部１１２〜１１６に斜光が入射する場合がある。この場合も、マイクロレンズ１００によれば、レンズ部１１２〜１１６と隙間１３１ｂ〜１３１ｅとの境界面に到達した斜光を、レンズ部１１２〜１１６と隙間１３１ｂ〜１３１ｅとの境界面でレンズ部１１２〜１１６側に全反射させることができる。
【００３８】
したがって、マイクロレンズ１００によれば、ＰＤ１９２〜１９６を設けた場合も、レンズ部１１２〜１１６に入射した斜光が隣のレンズ部に漏れることを抑制することができる。このため、マイクロレンズ１００によれば、レンズ部１１２〜１１６に入射した斜光が隣のレンズ部に漏れるクロストークを低減して、このクロストークによる光信号の劣化を低減することができる。ＰＤ１９１〜１９６は、実施の形態１にかかる光モジュールが備える光学素子の一例である。
【００３９】
また、以上の説明では、マイクロレンズ１００にレンズ部１１１〜１１６の６つのレンズ部が設けられている例を説明したが、これに限らない。たとえば、マイクロレンズ１００には、２つ以上で５つ以下のレンズ部（たとえばレンズ部１１１，１１２の２つのレンズ部のみ）が設けられるようにしてもよいし、７つ以上のレンズ部が設けられるようにしてもよい。
【００４０】
また、以上に説明した例では、レンズ部１１１〜１１６の隣り合うレンズ部どうしを２つの接続部により物理的につなげるようにしたが、これに限らない。たとえば、レンズ部１１１〜１１６の隣り合うレンズ部どうしを１つの接続部で物理的につなげるようにしてもよい。たとえば、この場合、レンズ部１１１とレンズ部１１２とを接続部１２１ａのみで物理的につなげるようにし、図１においてレンズ部１１１とレンズ部１１２との間の接続部１２１ａから下の部分はすべて隙間１３１ａとする。このようにすれば、レンズ部１１１〜１１６に入射した斜光が接続部を介して隣のレンズ部に漏れることを抑制することができる。このため、レンズ部１１２〜１１６に入射した斜光が隣のレンズ部に漏れるクロストークを低減して、このクロストークによる光信号の劣化を低減することができる。また、このように、レンズ部１１１〜１１６の出射側よりも入射側に近い接続部１２１ａ〜１２１ｅのみを設けることにより、レンズ部１１１〜１１６に入射した斜光が、接続部１２１ａ〜１２１ｅを介して隣のレンズ部に漏れることを抑制することが可能となる。このため、レンズ部１１２〜１１６に入射した斜光が隣のレンズ部に漏れるクロストークを低減して、このクロストークによる光信号の劣化を低減することができる。
【００４１】
また、レンズ部１１１〜１１６の隣り合うレンズ部どうしを３つ以上の接続部により物理的につなげるようにしてもよい。たとえば、この場合、レンズ部１１１とレンズ部１１２とを接続部１２１ａ，１２２ａと他の接続部により物理的につなげるようにし、それぞれの接続部の間に隙間１３１ａを設ける。このようにすれば、レンズ部１１１〜１１６の隣り合うレンズ部どうしが接続される強度を高めることができる。
【００４２】
また、以上に説明した例では、たとえば、レンズ部１１１〜１１６のレーザ光１７１ｂ〜１７６ｂを出射する凸レンズ部１１１ｂ〜１１６ｂに近い位置に接続部１２２ａ〜１２２ｅを設けたが、接続部１２２ａ〜１２２ｅの位置はこれに限らない。たとえば、接続部１２２ａ〜１２２ｅも、接続部１２１ａ〜１２１ｅと同様に、凸レンズ部１１１ｂ〜１１６ｂよりもレンズ部１１１〜１１６のレーザ光１７１ａ〜１７６ａが入射する凸レンズ部１１１ａ〜１１６ａに近い位置に設けてもよい。接続部１２１ａ〜１２１ｅ，１２２ａ〜１２２ｅをレンズ部１１１〜１１６の出射側よりも入射側に近い位置に設けることによりレンズ部１１１〜１１６に入射した斜光の接続部１２１ａ〜１２１ｅ，１２２ａ〜１２２ｅを介した隣のレンズ部への漏れを抑制できる。このため、レンズ部１１２〜１１６に入射した斜光が隣のレンズ部に漏れるクロストークを低減して、このクロストークによる光信号の劣化を低減することができる。
【００４３】
（実施の形態１にかかるマイクロレンズの他の一例）
以下に示す実施の形態１にかかるマイクロレンズ１００の他の一例は、マイクロレンズ１００に入射した光の進行方向を変換する光路変換部を、マイクロレンズ１００に設けるようにした場合の例である。
【００４４】
図３は、実施の形態１にかかるマイクロレンズの他の一例を示す下面図である。図４は、実施の形態１にかかるマイクロレンズの他の一例を示す上面図である。図３および図４において、図１と同様の構成については同一の符号を付して説明を省略する。
【００４５】
図３および図４に示すマイクロレンズ１００は、レンズ部１１１〜１１５を有する。また、マイクロレンズ１００は、下面３０１（図３参照）と、側面３０２（図３参照）と、上面３０３（図４参照）と、を有するブロック状に形成される。レンズ部１１１〜１１５の凸レンズ部１１１ａ〜１１５ａは、たとえば下面３０１から突出するように設けられる。すなわち、マイクロレンズ１００は、たとえば下面３０１がＶＣＳＥＬ１５１〜１５５と対向するように設けられる。
【００４６】
側面３０２は、たとえば下面３０１に対して垂直な面となるように設けられる。レンズ部１１１〜１１５の凸レンズ部１１１ｂ〜１１５ｂは、たとえば側面３０２から突出するように設けられる。すなわち、マイクロレンズ１００は、たとえば側面３０２が光ファイバ１６１〜１６５と対向するように設けられる。また、上面３０３は、たとえば下面３０１と側面３０２とのそれぞれに対して４５度傾斜する面となるように設けられる。
【００４７】
図５は、実施の形態１にかかるマイクロレンズの他の一例を示す断面図である。図５には、たとえば、図３および図４に示したマイクロレンズ１００の図４におけるＡ−Ａ線の断面を図４において下から上へ向かう方向から見た場合の一例を示した。
【００４８】
図５に示すように、上面３０３の凸レンズ部１１１ａと凸レンズ部１１１ｂとに対応する部分は光路変換部５００となる。光路変換部５００は、凸レンズ部１１１ａの光軸と凸レンズ部１１２ａの光軸とのそれぞれに対して４５度傾斜する。また、マイクロレンズ１００の外はたとえば空気となる。このため、マイクロレンズ１００の外の屈折率は１程度であり、レンズ部１１１の屈折率よりも低い。したがって、たとえば、凸レンズ部１１１ａからレンズ部１１１に入射したレーザ光は、レンズ部１１１と光路変換部５００との境界面で凸レンズ部１１１ｂ側へ全反射する。このため、凸レンズ部１１１ａからレンズ部１１１に入射したレーザ光は、矢印５１０に示すように、進行方向が凸レンズ部１１１ｂ側へ９０度変換され、凸レンズ部１１１ｂから出射される。
【００４９】
また、図示は省略するが、同様に、上面３０３において、凸レンズ部１１２ａ〜１１５ａと凸レンズ部１１２ｂ〜１１５ｂとに対応する部分にも、上面３０３によって光路変換部が設けられる。したがって、たとえば、凸レンズ部１１２ｂ〜１１５ｂからレンズ部１１２〜１１５に入射したレーザ光は、それぞれレンズ部１１２〜１１５と光路変換部との境界面で凸レンズ部１１２ｂ〜１１５ｂ側へ全反射する。このため、凸レンズ部１１２ａ〜１１５ａからレンズ部１１２〜１１５に入射したレーザ光は、進行方向が凸レンズ部１１２ｂ〜１１５ｂ側へ９０度変換され、凸レンズ部１１２ｂ〜１１５ｂから出射される。
【００５０】
また、図３〜図５に示したマイクロレンズ１００において、レンズ部１１１とレンズ部１１２との間の隙間１３１ａは、凸レンズ部１１１ａから入射したレーザ光が凸レンズ部１１１ｂから出射されるまでに進行する光路の少なくとも一部に沿うように設けられる。たとえば、図３〜図５に示したマイクロレンズ１００において、レンズ部１１１とレンズ部１１２との間の隙間１３１ａは、仮想線５２０で示す位置に設けられる。また、レンズ部１１１とレンズ部１１２との間の隙間１３１ａはこれに限らず、たとえば、金型による成形のしやすさを勘案して仮想線５３０で示す位置に設けてもよい。
【００５１】
また、図３〜図５に示したマイクロレンズ１００において、たとえば、レンズ部１１１の光軸は矢印５１０と一致する。図３〜図５に示したマイクロレンズ１００において、レンズ部１１１とレンズ部１１２との間の隙間１３１ａは、矢印５１０と一致するレンズ部１１１の光軸に平行に設けられるようにしてもよい。
【００５２】
また、図３〜図５に示したマイクロレンズ１００において、レンズ部１１１とレンズ部１１２との間の接続部１２１ａは、たとえば隙間１３１ａの下面３０１側の端部から下面３０１にかけて設けられる。また、図３〜図５に示したマイクロレンズ１００において、レンズ部１１１とレンズ部１１２との間の接続部１２２ａは、たとえば隙間１３１ａの側面３０２側の端部から側面３０２にかけて設けられる。
【００５３】
また、図示は省略するが、同様に、レンズ部１１２〜１１５の隣り合うレンズ部どうしの間にも、接続部１２１ｂ〜１２１ｄ，１２２ｂ〜１２２ｄと、隙間１３１ｂ〜１３１ｄとが設けられる。
【００５４】
図３〜図５に示したマイクロレンズ１００によれば、図１に示したマイクロレンズ１００と同様に、レンズ部１１１〜１１５に入射した斜光が隙間１３１ａ〜１３１ｄに当たると全反射するので、その斜光が隣のレンズ部に漏れることを抑制することができる。このため、図３〜図５に示したマイクロレンズ１００によれば、レンズ部１１１〜１１５に入射した斜光が隣のレンズ部に漏れるクロストークを低減して、このクロストークによる光信号の劣化を低減することができる。
【００５５】
また、図３〜図５に示したマイクロレンズ１００によれば、マイクロレンズ１００に入射した光の進行方向を９０度変換することができる。これにより、たとえば、ＶＣＳＥＬから基板に対して垂直に出射された光を基板に対して平行にし、基板に対して平行に設けられた光ファイバにその光を入射させることができる。
【００５６】
（実施の形態１にかかる光モジュール）
図６は、実施の形態１にかかる光モジュールの一例を示す断面図である。図６において、図３〜図５と同様の構成については同一の符号を付して説明を省略する。図６に示す実施の形態１にかかる光モジュール６００は、図３〜図５に示したマイクロレンズ１００を設けた光モジュールの一例である。たとえば、光モジュール６００は、サーバなどから入力された電気信号を光信号に変換して、変換した光信号を光ファイバ１６１〜１６５から出力する光モジュールである。
【００５７】
図６に示すように、光モジュール６００は、たとえば、基板６１０と、レンズブロック６２０と、外装部材６３０と、を有する。基板６１０は、サーバなどのマザーボード６５０のコネクタ６５１を介して、マザーボード６５０と電気的に接続される。これにより、光モジュール６００には、マザーボード６５０から電気信号が入力される。また、基板６１０には、たとえば、ＶＣＳＥＬ１５１と、駆動回路６１１とが設けられる。
【００５８】
駆動回路６１１は、基板６１０に入力された電気信号に基づいてＶＣＳＥＬ１５１の駆動信号を生成し、生成した駆動信号をＶＣＳＥＬ１５１へ出力する。ＶＣＳＥＬ１５１は、駆動回路６１１から入力された駆動信号に基づき駆動して光信号を出射することにより、基板６１０に入力された電気信号を光信号に変換する。
【００５９】
また、図示は省略するが、同様に、基板６１０には、たとえばＶＣＳＥＬ１５２〜１５５も設けられる。そして、駆動回路６１１は、基板６１０に入力された電気信号に基づくＶＣＳＥＬ１５２〜１５５の駆動信号を生成し、生成した駆動信号をそれぞれＶＣＳＥＬ１５２〜１５５へ出力する。ＶＣＳＥＬ１５２〜１５５は、駆動回路６１１から入力された駆動信号に基づき駆動して光信号を出射することにより、基板６１０に入力された電気信号を光信号に変換する。
【００６０】
また、基板６１０には、不図示の光変調器が設けられてもよい。この場合、ＶＣＳＥＬ１５１〜１５５は連続光を出射する。また、駆動回路６１１は、たとえば、基板６１０に入力された電気信号に基づく光変調器の駆動信号を生成して光変調器へ出力する。光変調器は、駆動回路６１１から入力された駆動信号に基づき駆動して、ＶＣＳＥＬ１５１〜１５５から出射された連続光を変調することにより、基板６１０に入力された電気信号を光信号に変換する。
【００６１】
また、図６に示すように、駆動回路６１１は、銅などにより形成されるサーマルブロック６１２を介して外装部材６３０と熱的に接続されていてもよい。これにより、駆動回路６１１の熱を外装部材６３０に逃がして、駆動回路６１１の温度を下げることができる。
【００６２】
レンズブロック６２０は、マイクロレンズ１００と、マイクロレンズ１００を支持する支持部６２１と、を有する。たとえば、レンズブロック６２０は、マイクロレンズ１００と支持部６２１とを一体成形することにより実現され、支持部６２１が基板６１０に接着されることで基板６１０に対して固定される。
【００６３】
また、光モジュール６００内に引き込まれた光ファイバ（たとえば光ファイバ１６１）は、たとえば、ＭＴフェルール６２２およびＭＴクリップ６２３によりレンズブロック６２０に対して固定される。レンズブロック６２０およびレンズブロック６２０の周辺については、図７を用いて後述する。ＭＴはＭｅｃｈａｎｉｃａｌｌｙ  Ｔｒａｎｓｆｅｒａｂｌｅの略である。
【００６４】
外装部材６３０は、基板６１０やレンズブロック６２０を囲うように設けられる。外装部材６３０には、開口部６３１が設けられる。光ファイバ１６１は、開口部６３１を介して外装部材６３０の外側から内側へ引き込まれている。また、図示は省略するが、たとえば、光ファイバ１６２〜１６５も、光ファイバ１６１と同様に、開口部６３１を介して外装部材６３０の外側から内側へ引き込まれている。
【００６５】
また、図６に示すように、外装部材６３０は、ヒートシンク６４１およびクーリングユニット６４２と熱的に接続されていてもよい。クーリングユニット６４２は、たとえば、下面がヒートシンク６４１に接するように設けられる放熱板、および、この放熱板の上面に接するように設けられるヒートパイプなどである。これにより、外装部材６３０の熱をヒートシンク６４１やクーリングユニット６４２に逃がして、外装部材６３０あるいは外装部材６３０の内部の温度を下げることができる。
【００６６】
図７は、実施の形態１にかかる光モジュールの一部の一例を示す断面図である。図７には、たとえば、図６に示したレンズブロック６２０およびレンズブロック６２０の周辺を拡大した図を示した。
【００６７】
図７に示すように、光モジュール６００において、マイクロレンズ１００は、たとえば、凸レンズ部１１１ａとＶＣＳＥＬ１５１とが対向した状態で、基板６１０に対して固定される。そして、光モジュール６００において、光ファイバ１６１は、端部が凸レンズ部１１１ｂと対向した状態で、ＭＴフェルール６２２およびＭＴクリップ６２３によりレンズブロック６２０に対して固定される。
【００６８】
したがって、光モジュール６００において、ＶＣＳＥＬ１５１から出射されたレーザ光は、矢印７００に示すように、凸レンズ部１１１ａからマイクロレンズ１００に入射する。そして、凸レンズ部１１１ａから入射したレーザ光は、進行方向が凸レンズ部１１１ｂ側へ９０度変換されることにより凸レンズ部１１１ｂから出射され、光ファイバ１６１に入射する。光ファイバ１６１に入射したレーザ光は光ファイバ１６１を介して光モジュール６００の対向装置へ伝送される。
【００６９】
また、図示は省略するが、同様に、光モジュール６００において、マイクロレンズ１００は、たとえば、凸レンズ部１１２ａ〜１１５ａとＶＣＳＥＬ１５２〜１５５とが対向した状態で、基板６１０に対して固定される。そして、光モジュール６００において、光ファイバ１６２〜１６５は、端部が凸レンズ部１１２ｂ〜１１５ｂと対向した状態で、ＭＴフェルール６２２およびＭＴクリップ６２３によりレンズブロック６２０に対して固定される。
【００７０】
したがって、光モジュール６００において、ＶＣＳＥＬ１５２〜１５５から出射されたレーザ光は、凸レンズ部１１２ａ〜１１５ａからマイクロレンズ１００に入射する。そして、凸レンズ部１１２ａ〜１１５ａから入射したレーザ光は、進行方向が凸レンズ部１１２ｂ〜１１５ｂ側へ９０度変換されることにより凸レンズ部１１２ｂ〜１１５ｂから出射され、光ファイバ１６２〜１６５に入射する。光ファイバ１６２〜１６５に入射したレーザ光は光ファイバ１６２〜１６５を介して光モジュール６００の対向装置へ伝送される。
【００７１】
また、光モジュール６００において、基板６１０には、たとえば、ＶＣＳＥＬ１５１〜１５５の代わりにＰＤ１９１〜１９５を設けてもよい。ＰＤ１９１〜１９５を設けた場合は、たとえば、光モジュール６００の対向装置から光ファイバ１６１〜１６５にレーザ光が入射される。そして、光ファイバ１６１〜１６５は、光モジュール６００の対向装置から入射されたレーザ光を、それぞれ凸レンズ部１１１ｂ〜１１５ｂへ出射する。凸レンズ部１１１ｂ〜１１５ｂから入射したレーザ光は、進行方向が９０度変換されることによりそれぞれ凸レンズ部１１１ａ〜１１５ａから出射される。そして、ＰＤ１９１〜１９５は、それぞれ凸レンズ部１１１ａ〜１１５ａから出射されたレーザ光を受光する。駆動回路６１１は、ＰＤ１９１〜１９５が受光した光信号を電気信号に変換し、変換した電気信号を、たとえばコネクタ６５１を介してマザーボード６５０へ出力する。
【００７２】
また、ＶＣＳＥＬ１５１〜１５５を設けた光モジュール６００の対向装置を、ＶＣＳＥＬ１５１〜１５５の代わりにＰＤ１９１〜１９５を設けた光モジュール６００としてもよい。また、光モジュール６００の構成はこれらに限らず、たとえば、光モジュール６００を、ＶＣＳＥＬ１５１〜１５５とＰＤ１９１〜１９５との両方を備えて、光信号の送受信を行う光トランシーバとしてもよい。
【００７３】
このように、実施の形態１にかかる光モジュール６００は、マイクロレンズ１００における複数のレンズ部の各間に、レンズ部同士がつながっている接続部と、レンズ部同士がつながっていない隙間と、を有する。これにより、レンズ部同士がつながっている接続部によって複数のレンズ部が互いに固定され、複数のレンズ部の個々の位置合わせなどの調整を行わなくても、複数のレンズ部の各光軸を揃えることができる。また、レンズ部同士がつながっていない隙間により、レンズ部に入射した斜光を全反射させ、その斜光が隣のレンズ部に漏れることを抑制することができる。
【００７４】
（実施の形態２）
実施の形態２について、実施の形態１と異なる部分について説明する。以下に示す実施の形態２は、たとえば、ＶＣＳＥＬ１５１〜１５６から出射されたレーザ光が隣のレンズ部に入射しないように遮光する遮光板を設けるようにした場合の例である。
【００７５】
（実施の形態２にかかるマイクロレンズの一例）
図８は、実施の形態２にかかるマイクロレンズの一例を示す正面図である。図９は、実施の形態２にかかるマイクロレンズの一例を示す上面図である。図８において、図１と同様の構成については同一の符号を付して説明を省略する。また、図９において、図２と同様の構成については同一の符号を付して説明を省略する。
【００７６】
図８および図９に示す実施の形態２にかかるマイクロレンズ１００において、レンズ部１１１〜１１６の隣り合うレンズ部どうしの間には、遮光板８０１〜８０５が設けられる。たとえば、遮光板８０１は、凸レンズ部１１１ａと凸レンズ部１１２ａとの間に設けられ、ＶＣＳＥＬ１５２から出射されたレーザ光１７２ａが隣の凸レンズ部１１１ａに入射しないように遮光する。また、遮光板８０１は、ＶＣＳＥＬ１５１から出射されたレーザ光１７１ａが隣の凸レンズ部１１２ａに入射しないように遮光してもよい。
【００７７】
たとえば、遮光板８０１は、レンズ部１１１とレンズ部１１２との間の接続部１２１ａのＶＣＳＥＬ１５１，１５２側の部分に設けられる。また、遮光板８０１は、凸レンズ部１１１ａ，１１２ａよりもＶＣＳＥＬ１５１，１５２側に突出するように設けられる。また、遮光板８０１の凸レンズ部１１１ａ，１１２ａ側の部分には、光を反射させて透過させない物質が蒸着あるいは塗布されてもよい。光を反射させて透過させない物質の一例は、金である。これらにより、遮光板８０１は、ＶＣＳＥＬ１５２から出射されたレーザ光１７２ａが凸レンズ部１１１ａに入射しないように遮光するとともに、ＶＣＳＥＬ１５１から出射されたレーザ光１７１ａが凸レンズ部１１２ａに入射しないように遮光することができる。
【００７８】
このため、遮光板８０１は、ＶＣＳＥＬ１５２から出射されたレーザ光１７２ａが凸レンズ部１１１ａに入射するクロストークを低減して、このクロストークによる光信号の劣化を低減することができる。また、遮光板８０１は、ＶＣＳＥＬ１５１から出射されたレーザ光１７１ａが凸レンズ部１１２ａに入射するクロストークを低減して、このクロストークによる光信号の劣化を低減することができる。
【００７９】
同様に、遮光板８０２〜８０５は、凸レンズ部１１２ａ〜１１６ａの隣り合う凸レンズ部どうしの間の接続部１２１ｂ〜１２１ｅのＶＣＳＥＬ１５２〜１５６側の部分に設けられる。また、遮光板８０２〜８０５は、凸レンズ部１１２ａ〜１１６ａよりもＶＣＳＥＬ１５２〜１５６側に突出するように設けられる。また、遮光板８０２〜８０５の凸レンズ部１１２ａ〜１１６ａ側の部分には、光を反射させて透過させない物質が蒸着あるいは塗布されてもよい。これらにより、遮光板８０２〜８０５は、ＶＣＳＥＬ１５２〜１５６から出射されたレーザ光１７２ａ〜１７６ａが隣の凸レンズ部に入射しないように遮光することができる。このため、遮光板８０２〜８０５は、ＶＣＳＥＬ１５２〜１５６から出射されたレーザ光１７２ａ〜１７６ａが隣の凸レンズ部に入射するクロストークを低減して、このクロストークによる光信号の劣化を低減することができる。
【００８０】
また、たとえば、遮光板８０１は、ＶＣＳＥＬ１５１から出射されたレーザ光１７１ａのうち遮光板８０１に到達したレーザ光を凸レンズ部１１１ａ側に反射させ、凸レンズ部１１１ａに入射させることができる。このため、遮光板８０１は、凸レンズ部１１１ａに入射するレーザ光の強度が低下することを抑制することができる。
【００８１】
同様に、たとえば、遮光板８０２〜８０５は、ＶＣＳＥＬ１５２〜１５６から出射されたレーザ光１７２ａ〜１７６ａのうち遮光板８０２〜８０５に到達したレーザ光を凸レンズ部１１２ａ〜１１６ａ側に反射させることができる。これにより、遮光板８０２〜８０５は、ＶＣＳＥＬ１５２〜１５６から出射されたレーザ光１７２ａ〜１７６ａのうち遮光板８０２〜８０５に到達したレーザ光を凸レンズ部１１２ａ〜１１６ａに入射させることができる。このため、遮光板８０２〜８０５は、凸レンズ部１１２ａ〜１１６ａに入射するレーザ光の強度が低下することを抑制することができる。
【００８２】
たとえば、実施の形態２にかかるマイクロレンズ１００は、金型を用いて、レンズ部１１１〜１１６と接続部１２１ａ〜１２１ｅ，１２２ａ〜１２２ｅと遮光板８０１〜８０５とする部分とを樹脂などにより一体成形する。そして、実施の形態２にかかるマイクロレンズ１００は、レンズ部１１１〜１１６と接続部１２１ａ〜１２１ｅ，１２２ａ〜１２２ｅと遮光板８０１〜８０５とを一体成形した後に、遮光板８０１〜８０５とする部分に金を蒸着させれば実現することができる。これにより、光軸の方向やピッチが一定のレンズ部１１１〜１１６を有し、かつ隙間１３１ａ〜１３１ｅおよび遮光板８０１〜８０５を有するマイクロレンズ１００を容易に形成することができる。
【００８３】
なお、以上に説明した例では、遮光板８０１〜８０５が光を反射するようにしたが、これに限らない。たとえば、遮光板８０１〜８０５の凸レンズ部１１１ａ〜１１６ａ側の部分に光を吸収する物質を蒸着あるいは塗布することで、遮光板８０１〜８０５が光を吸収するようにしてもよい。
【００８４】
以上に説明したように、図８および図９に示したマイクロレンズ１００によれば、実施の形態１にかかるマイクロレンズ１００と同様に、レンズ部１１１〜１１６に入射した斜光が隙間１３１ａ〜１３１ｅに当たると全反射する。したがって、図８および図９に示したマイクロレンズ１００によれば、レンズ部１１１〜１１６に入射した斜光が隣のレンズ部に漏れることを抑制することができる。このため、図８および図９に示したマイクロレンズ１００によれば、レンズ部１１１〜１１６に入射した斜光が隣のレンズ部に漏れるクロストークを低減して、このクロストークによる光信号の劣化を低減することができる。
【００８５】
また、図８および図９に示したマイクロレンズ１００によれば、ＶＣＳＥＬ１５１〜１５６から出射されたレーザ光１７１ａ〜１７６ａが隣のレンズ部に入射しないように遮光板８０１〜８０５により遮光することができる。このため、図８および図９に示したマイクロレンズ１００によれば、ＶＣＳＥＬ１５１〜１５６から出射されたレーザ光１７１ａ〜１７６ａが隣のレンズ部に入射するクロストークを低減して、このクロストークによる光信号の劣化を低減することができる。
【００８６】
また、以上に説明した例では、ＶＣＳＥＬ１５１〜１５６を設けるようにしたが、遮光板８０１〜８０５の作用はこれに限らない。たとえば、図８に示すように、ＶＣＳＥＬ１５１の代わりにＰＤ１９１を設けるようにしてもよい。ＰＤ１９１を設けた場合、遮光板８０１は、凸レンズ部１１２ａから出射されたレーザ光がＰＤ１９１に入射しないように遮光することができる。このため、図８および図９に示したマイクロレンズ１００によれば、凸レンズ部１１２ａから出射されたレーザ光がＰＤ１９１に入射するクロストークを低減し、このクロストークによる光信号の劣化を低減することができる。
【００８７】
同様に、図８および図９に示したマイクロレンズ１００において、ＶＣＳＥＬ１５２〜１５６の代わりにＰＤ１９２〜１９６を設けてもよい。ＰＤ１９２〜１９６を設けた場合、遮光板８０２〜８０５は、凸レンズ部１１２ａ〜１１６ａから出射されたレーザ光が隣のＰＤに入射しないように遮光することができる。このため、図８および図９に示したマイクロレンズ１００によれば、凸レンズ部１１２ａ〜１１６ａから出射されたレーザ光が隣のＰＤに入射するクロストークを低減して、このクロストークによる光信号の劣化を低減することができる。
【００８８】
（実施の形態２にかかるマイクロレンズの他の一例）
以下に示す実施の形態２にかかるマイクロレンズ１００の他の一例は、マイクロレンズ１００に入射された光の進行方向を変換する光路変換部５００を、実施の形態２にかかるマイクロレンズ１００に設けるようにした場合の例である。
【００８９】
図１０は、実施の形態２にかかるマイクロレンズの他の一例を示す下面図である。図１１は、実施の形態２にかかるマイクロレンズの他の一例を示す上面図である。図１０において、図３および図８と同様の構成については同一の符号を付して説明を省略する。また、図１１において、図４および図８と同様の構成については同一の符号を付して説明を省略する。
【００９０】
図１０および図１１に示すマイクロレンズ１００において、遮光板８０１〜８０４は、たとえば、下面３０１の凸レンズ部１１１ａ〜１１５ａの隣り合う凸レンズ部どうしの間に設けられるとともに下面３０１から突出するように設けられる。
【００９１】
図１２は、実施の形態２にかかるマイクロレンズの他の一例を示す断面図である。図１２には、たとえば、図１０および図１１に示したマイクロレンズ１００の図１１におけるＢ−Ｂ線の断面を図１１において下から上へ向かう方向から見た場合の一例を示した。図１２に示すように、凸レンズ部１１１ａと凸レンズ部１１２ａとの間の遮光板８０１は、たとえば凸レンズ部１１１ａよりも下面３０１から突出するように設けられる。また、図示は省略するが、同様に、遮光板８０２〜８０４は、凸レンズ部１１２ａ〜１１５ａよりも下面３０１から突出するように設けられる。
【００９２】
図１０〜図１２に示したマイクロレンズ１００によれば、図８に示したマイクロレンズ１００と同様に、レンズ部１１１〜１１５に入射した斜光が隙間１３１ａ〜１３１ｄに当たると全反射するので、その斜光が隣のレンズ部に漏れることを抑制することができる。このため、図１０〜図１２に示したマイクロレンズ１００によれば、レンズ部１１１〜１１５に入射した斜光が隣のレンズ部に漏れるクロストークを低減して、このクロストークによる光信号の劣化を低減することができる。また、図１０〜図１２に示したマイクロレンズ１００によれば、マイクロレンズ１００に入射した光の進行方向を９０度変換することができる。
【００９３】
また、図１０〜図１２に示したマイクロレンズ１００によれば、ＶＣＳＥＬ１５１〜１５５から出射されたレーザ光が隣のレンズ部に入射しないように遮光板８０１〜８０４により遮光することができる。このため、図１０〜図１２に示したマイクロレンズ１００によれば、ＶＣＳＥＬ１５１〜１５５から出射されたレーザ光が隣のレンズ部に入射するクロストークを低減して、このクロストークによる光信号の劣化を低減することができる。
【００９４】
また、図１０〜図１２に示したマイクロレンズ１００によれば、レンズ部１１１〜１１５から出射されたレーザ光が隣のＰＤに入射しないように遮光板８０１〜８０４により遮光することができる。このため、図１０〜図１２に示したマイクロレンズ１００によれば、レンズ部１１１〜１１５から出射されたレーザ光が隣のＰＤに入射するクロストークを低減して、このクロストークによる光信号の劣化を低減することができる。
【００９５】
（実施の形態２にかかる光モジュールの一例）
実施の形態２にかかる光モジュール６００は、たとえば、図６に示した実施の形態１にかかる光モジュール６００のマイクロレンズ１００を、図１０〜図１２に示したマイクロレンズ１００に代えたものである。
【００９６】
このため、実施の形態２にかかる光モジュール６００によれば、図１０〜図１２に示したマイクロレンズ１００と同様に、レンズ部１１１〜１１５に入射した斜光が隙間１３１ａ〜１３１ｄに当たると全反射する。したがって、実施の形態２にかかる光モジュール６００によれば、レンズ部１１１〜１１５に入射した斜光が隣のレンズ部に漏れることを抑制することができる。このため、実施の形態２にかかる光モジュール６００によれば、レンズ部１１１〜１１５に入射した斜光が隣のレンズ部に漏れるクロストークを低減して、このクロストークによる光信号の劣化を低減することができる。
【００９７】
また、実施の形態２にかかる光モジュール６００によれば、図１０〜図１２に示したマイクロレンズ１００と同様に、ＶＣＳＥＬ１５１〜１５５から出射されたレーザ光が隣のレンズ部に入射しないように遮光板８０１〜８０４により遮光することができる。このため、実施の形態２にかかる光モジュール６００によれば、ＶＣＳＥＬ１５１〜１５５から出射されたレーザ光が隣のレンズ部に入射するクロストークを低減して、このクロストークによる光信号の劣化を低減することができる。
【００９８】
また、実施の形態２にかかる光モジュール６００によれば、レンズ部１１１〜１１５から出射されたレーザ光が隣のＰＤに入射しないように遮光板８０１〜８０４により遮光することができる。このため、実施の形態２にかかる光モジュール６００によれば、レンズ部１１１〜１１５から出射されたレーザ光が隣のＰＤに入射するクロストークを低減して、このクロストークによる光信号の劣化を低減することができる。
【００９９】
このように、実施の形態２にかかる光モジュール６００によれば、実施の形態１にかかる光モジュール６００と同様に、レンズ部に入射した斜光が隣のレンズ部に漏れることを抑制することができる。また、実施の形態２にかかる光モジュール６００によれば、マイクロレンズ１００の入射側の各レンズ部の間に遮光板を有することで、レンズ部に入射する前の斜光が隣のレンズ部に入射することを抑制することができる。または、実施の形態２にかかる光モジュール６００によれば、マイクロレンズ１００の出射側の各レンズ部の間に遮光板を有することで、レンズ部からＰＤへ出射された斜光が隣のＰＤに入射することを抑制することができる。このため、実施の形態２にかかる光モジュール６００によれば、光信号の劣化を低減することができる。
【０１００】
（実施の形態３）
実施の形態３について、実施の形態１と異なる部分について説明する。以下に示す実施の形態３は、たとえば、ＶＣＳＥＬ１５１〜１５６から出射されたレーザ光が隣のレンズ部に入射しないように遮光する遮光膜を設けるようにした場合の例である。
【０１０１】
（実施の形態３にかかるマイクロレンズの一例）
図１３は、実施の形態３にかかるマイクロレンズの一例を示す正面図である。図１４は、実施の形態３にかかるマイクロレンズの一例を示す上面図である。図１３において、図１と同様の構成については同一の符号を付して説明を省略する。また、図１４において、図２と同様の構成については同一の符号を付して説明を省略する。
【０１０２】
図１３および図１４に示す実施の形態３にかかるマイクロレンズ１００において、レンズ部１１１〜１１６には、遮光膜１３０１〜１３０６が設けられる。たとえば、遮光膜１３０１は、凸レンズ部１１１ａに設けられ、ＶＣＳＥＬ１５２から出射されたレーザ光１７２ａが凸レンズ部１１１ａに入射しないように遮光する。
【０１０３】
遮光膜１３０１は、たとえば、凸レンズ部１１１ａの表面のうち隣の凸レンズ部１１２ａ側の一部分に、金などの光を反射させて透過させない物質を蒸着あるいは塗布することにより設けられる。これにより、遮光膜１３０１は、ＶＣＳＥＬ１５２から出射されたレーザ光１７２ａが凸レンズ部１１１ａに入射しないように遮光することができる。したがって、遮光膜１３０１は、ＶＣＳＥＬ１５２から出射されたレーザ光１７２ａが凸レンズ部１１１ａに入射するクロストークを低減して、このクロストークによる光信号の劣化を低減することができる。
【０１０４】
同様に、遮光膜１３０２は、凸レンズ部１１２ａに設けられ、ＶＣＳＥＬ１５１から出射されたレーザ光１７１ａが凸レンズ部１１２ａに入射しないように遮光する。また、遮光膜１３０２は、ＶＣＳＥＬ１５１とは反対側のＶＣＳＥＬ１５３から出射されたレーザ光１７３ａが凸レンズ部１１２ａに入射しないように遮光してもよい。
【０１０５】
遮光膜１３０２は、たとえば、凸レンズ部１１２ａの表面のうち凸レンズ部１１１ａ側および凸レンズ部１１３ａの一部分に、光を反射させて透過させない物質を蒸着あるいは塗布することにより設けられる。これにより、遮光膜１３０２は、ＶＣＳＥＬ１５１から出射されたレーザ光１７１ａが凸レンズ部１１２ａに入射しないように遮光することができる。また、これにより、遮光膜１３０２は、ＶＣＳＥＬ１５３から出射されたレーザ光１７３ａが凸レンズ部１１２ａに入射しないように遮光することができる。したがって、遮光膜１３０２は、ＶＣＳＥＬ１５１から出射されたレーザ光１７１ａやＶＣＳＥＬ１５３から出射されたレーザ光１７３ａが凸レンズ部１１２ａに入射するクロストークを低減して、このクロストークによる光信号の劣化を低減することができる。
【０１０６】
同様に、遮光膜１３０３〜１３０６は、凸レンズ部１１３ａ〜１１６ａに設けられ、隣のＶＣＳＥＬから出射されたレーザ光が凸レンズ部１１３ａ〜１１６ａに入射しないように遮光する。また、たとえば、遮光膜１３０３〜１３０６は、凸レンズ部１１３ａ〜１１６ａの表面のうち隣の凸レンズ部側の一部分に、光を反射させて透過させない物質を蒸着あるいは塗布することにより設けられる。これにより、遮光膜１３０３〜１３０６は、隣のＶＣＳＥＬから出射されたレーザ光が凸レンズ部１１３ａ〜１１６ａに入射しないように遮光することができる。したがって、遮光膜１３０３〜１３０６は、隣のＶＣＳＥＬから出射されたレーザ光が凸レンズ部１１３ａ〜１１６ａに入射するクロストークを低減して、このクロストークによる光信号の劣化を低減することができる。
【０１０７】
たとえば、実施の形態３にかかるマイクロレンズ１００は、金型を用いて、レンズ部１１１〜１１６と接続部１２１ａ〜１２１ｅ，１２２ａ〜１２２ｅとを樹脂などにより一体成形する。そして、実施の形態３にかかるマイクロレンズ１００は、レンズ部１１１〜１１６と接続部１２１ａ〜１２１ｅ，１２２ａ〜１２２ｅとを一体成形した後に、遮光膜１３０１〜１３０６とする部分に金を蒸着させれば実現することができる。これにより、光軸の方向やピッチが一定のレンズ部１１１〜１１６を有し、かつ隙間１３１ａ〜１３１ｅおよび遮光膜１３０１〜１３０６を有するマイクロレンズ１００を容易に形成することができる。
【０１０８】
なお、以上に説明した例では、遮光膜１３０１〜１３０６が光を反射するようにしたが、遮光膜１３０１〜１３０６の作用はこれに限らない。たとえば、凸レンズ部１１１ａ〜１１６ａの遮光膜１３０１〜１３０６とする部分に光を吸収する物質を蒸着させることで、遮光膜１３０１〜１３０６が光を吸収するようにしてもよい。
【０１０９】
以上に説明したように、図１３および図１４に示したマイクロレンズ１００によれば、実施の形態１にかかるマイクロレンズ１００と同様に、レンズ部１１１〜１１６に入射した斜光が隙間１３１ａ〜１３１ｅに当たると全反射する。したがって、図１３および図１４に示したマイクロレンズ１００によれば、レンズ部１１１〜１１６に入射した斜光が隣のレンズ部に漏れることを抑制することができる。このため、図１３および図１４に示したマイクロレンズ１００によれば、レンズ部１１１〜１１６に入射した斜光が隣のレンズ部に漏れるクロストークを低減して、このクロストークによる光信号の劣化を低減することができる。
【０１１０】
また、図１３および図１４に示したマイクロレンズ１００によれば、ＶＣＳＥＬ１５１〜１５６から出射されたレーザ光が隣のレンズ部１１１〜１１６に入射しないように遮光膜１３０１〜１３０５により遮光することができる。このため、図１３および図１４に示したマイクロレンズ１００によれば、ＶＣＳＥＬ１５１〜１５５から出射されたレーザ光が隣のレンズ部１１１〜１１６に入射するクロストークを低減して、このクロストークによる光信号の劣化を低減することができる。
【０１１１】
また、以上に説明した例では、ＶＣＳＥＬ１５１〜１５６を設けるようにしたが、これに限らない。たとえば、図１３に示すように、ＶＣＳＥＬ１５１の代わりにＰＤ１９１を設けるようにしてもよい。ＰＤ１９１を設けた場合、遮光膜１３０２は、凸レンズ部１１２ａから出射されたレーザ光が隣のＰＤ１９１に入射しないように遮光することができる。このため、図１３および図１４に示したマイクロレンズ１００によれば、凸レンズ部１１２ａから出射されたレーザ光がＰＤ１９１に入射するクロストークを低減して、このクロストークによる光信号の劣化を低減することができる。
【０１１２】
同様に、図１３および図１４に示したマイクロレンズ１００において、ＶＣＳＥＬ１５２〜１５６の代わりにＰＤ１９２〜１９６を設けてもよい。ＰＤ１９２〜１９６を設けた場合、遮光膜１３０２〜１３０６は、凸レンズ部１１２ａ〜１１６ａから出射されたレーザ光が隣のＰＤに入射しないように遮光することができる。このため、図１３および図１４に示したマイクロレンズ１００によれば、凸レンズ部１１２ａ〜１１６ａから出射されたレーザ光が隣のＰＤに入射するクロストークを低減して、このクロストークによる光信号の劣化を低減することができる。
【０１１３】
（実施の形態３にかかるマイクロレンズの他の一例）
以下に示す実施の形態３にかかるマイクロレンズ１００の他の一例は、マイクロレンズ１００に入射された光の進行方向を変換する光路変換部５００を、実施の形態３にかかるマイクロレンズ１００に設けるようにした場合の例である。以下では、図３〜図５に示したマイクロレンズ１００と異なる部分について説明する。
【０１１４】
図１５は、実施の形態３にかかるマイクロレンズの他の一例を示す下面図である。図１５において、図３および図１３と同様の構成については同一の符号を付して説明を省略する。図１５に示す実施の形態３にかかるマイクロレンズ１００において、遮光膜１３０１〜１３０５は、たとえば、下面３０１の凸レンズ部１１１ａ〜１１５ａに設けられる。図１５に示すマイクロレンズ１００は、凸レンズ部１１１ａ〜１１５ａに遮光膜１３０１〜１３０５が設けられる以外の部分については、たとえば図３〜図５に示したマイクロレンズ１００と同様である。
【０１１５】
図１５に示したマイクロレンズ１００によれば、図１３に示したマイクロレンズ１００と同様に、レンズ部１１１〜１１５に入射した斜光が隙間１３１ａ〜１３１ｄに当たると全反射するので、その斜光が隣のレンズ部に漏れることを抑制することができる。このため、図１５に示したマイクロレンズ１００によれば、レンズ部１１１〜１１５に入射した斜光が隣のレンズ部に漏れるクロストークを低減して、このクロストークによる光信号の劣化を低減することができる。
【０１１６】
また、図１５に示したマイクロレンズ１００によれば、図１３に示したマイクロレンズ１００と同様に、ＶＣＳＥＬ１５１〜１５５から出射されたレーザ光が隣のレンズ部に入射しないように遮光膜１３０１〜１３０５により遮光することができる。このため、図１５に示したマイクロレンズ１００によれば、ＶＣＳＥＬ１５１〜１５５から出射されたレーザ光が隣のレンズ部に入射するクロストークを低減して、このクロストークによる光信号の劣化を低減することができる。
【０１１７】
また、図１５に示したマイクロレンズ１００によれば、図１３に示したマイクロレンズ１００と同様に、凸レンズ部１１１ａ〜１１５ａから出射されたレーザ光が隣のＰＤに入射しないように遮光膜１３０１〜１３０５により遮光することができる。このため、図１５に示したマイクロレンズ１００によれば、凸レンズ部１１１ａ〜１１５ａから出射されたレーザ光が隣のＰＤに入射するクロストークを低減して、このクロストークによる光信号の劣化を低減することができる。
【０１１８】
（実施の形態３にかかる光モジュールの一例）
実施の形態３にかかる光モジュール６００は、たとえば、図６に示した実施の形態１にかかる光モジュール６００のマイクロレンズ１００を、図１５に示したマイクロレンズ１００に代えたものである。
【０１１９】
このため、実施の形態３の光モジュール６００によれば、図１５に示したマイクロレンズ１００と同様に、レンズ部１１１〜１１５に入射した斜光が隙間１３１ａ〜１３１ｄに当たると全反射するので、その斜光が隣のレンズ部に漏れることを抑制することができる。このため、実施の形態３の光モジュール６００によれば、レンズ部１１１〜１１５に入射した斜光が隣のレンズ部に漏れるクロストークを低減して、このクロストークによる光信号の劣化を低減することができる。
【０１２０】
また、実施の形態３の光モジュール６００によれば、図１５に示したマイクロレンズ１００と同様に、ＶＣＳＥＬ１５１〜１５５から出射されたレーザ光が隣のレンズ部に入射しないように遮光膜１３０１〜１３０５により遮光することができる。このため、実施の形態３の光モジュール６００によれば、ＶＣＳＥＬ１５１〜１５５から出射されたレーザ光が隣のレンズ部に入射するクロストークを低減して、このクロストークによる光信号の劣化を低減することができる。
【０１２１】
また、実施の形態３の光モジュール６００によれば、図１５に示したマイクロレンズ１００と同様に、凸レンズ部１１１ａ〜１１５ａから出射されたレーザ光が隣のＰＤに入射しないように遮光膜１３０１〜１３０５により遮光することができる。このため、実施の形態３の光モジュール６００によれば、凸レンズ部１１１ａ〜１１５ａから出射されたレーザ光が隣のＰＤに入射するクロストークを低減して、このクロストークによる光信号の劣化を低減することができる。
【０１２２】
このように、実施の形態３にかかる光モジュール６００によれば、実施の形態１にかかる光モジュール６００と同様に、レンズ部に入射した斜光が隣のレンズ部に漏れることを抑制することができる。また、実施の形態３にかかる光モジュール６００によれば、マイクロレンズ１００のレンズ部の入射側に遮光幕を有することで、レンズ部に入射する前の斜光が隣のレンズ部に入射することを抑制することができる。または、実施の形態３にかかる光モジュール６００によれば、マイクロレンズ１００のレンズ部の出射側に遮光幕を有することで、レンズ部からＰＤへ出射された斜光が隣のＰＤに入射することを抑制することができる。このため、実施の形態３にかかる光モジュール６００によれば、光信号の劣化を低減することができる。
【０１２３】
また、上述した実施の形態２と実施の形態３とを組み合わせてもよい。たとえば、この場合、レンズ部１１１〜１１６の隣り合うレンズ部どうしの間に遮光板８０１〜８０５を設けるとともに、レンズ部１１１〜１１６に遮光膜１３０１〜１３０６を設ければよい。
【０１２４】
以上に説明したように、本発明にかかる光モジュールによれば、レンズに入射した斜光が隣のレンズに漏れることを抑制することができる。
【０１２５】
たとえば、近年、サーバやスーパーコンピュータに使用されるプリント基板では、高速化および高密度化が進んでいる。このため、従来の電気的な配線による相互接続では、信号の遅延、減衰、干渉などにより十分な特性が期待できなくなってきた。このような問題を解決するため、プリント基板の相互接続に光信号が使用されるようになってきた。プリント基板の相互接続に光信号が使用される場合、ＶＣＳＥＬなどの複数の光源が狭いピッチで配置されることがあり、これによって、隣接する受光素子に漏れ光が入り込むことがある。このような漏れ光によるクロストークが信号の高速化にともなって無視できなくなってきた。
【０１２６】
これに対して、たとえば上述した実施の形態１によれば、レンズ部１１１とレンズ部１１２との間に隙間１３１ａを設けた。このため、上述した実施の形態１によれば、ＶＣＳＥＬ１５１からレンズ部１１１に入射されたレーザ光が、レンズ部１１１と隣り合うレンズ部１１２に漏れ光として入射することを抑制することができる。また、同様に、ＶＣＳＥＬ１５２からレンズ部１１２に入射されたレーザ光が、レンズ部１１２と隣り合うレンズ部１１１に漏れ光として入射することを抑制することができる。
【０１２７】
また、上述した実施の形態２によれば、レンズ部１１１とレンズ部１１２との間に遮光板８０１を設けた。このため、上述した実施の形態２によれば、ＶＣＳＥＬ１５１から出射されたレーザ光が、レンズ部１１１と隣り合うレンズ部１１２に入射することを抑制することができる。また、同様に、ＶＣＳＥＬ１５２から出射されたレーザ光が、レンズ部１１２と隣り合うレンズ部１１１に入射することを抑制することができる。
【０１２８】
また、上述した実施の形態３によれば、レンズ部１１１に遮光膜１３０１を設け、レンズ部１１２に遮光膜１３０２を設けた。このため、上述した実施の形態３によれば、ＶＣＳＥＬ１５１から出射されたレーザ光が、レンズ部１１１と隣り合うレンズ部１１２に入射することを抑制することができる。また、同様に、ＶＣＳＥＬ１５２から出射されたレーザ光が、レンズ部１１２と隣り合うレンズ部１１１に入射することを抑制することができる。
【０１２９】
上述した各実施の形態に関し、さらに以下の付記を開示する。
【０１３０】
（付記１）それぞれ光を出射する第１発光素子および第２発光素子と、
前記第１発光素子から入射した光を透過させて出射する第１レンズ部と、前記第１レンズ部と隣り合い、前記第２発光素子から入射した光を透過させて出射する第２レンズ部と、を含む一体のレンズ部材と、
を備え、前記レンズ部材は、前記第１レンズ部と前記第２レンズ部との間に隙間が設けられている、
ことを特徴とする光モジュール。
【０１３１】
（付記２）前記第１レンズ部は、前記第１発光素子から出射された光を入射させる第１凸部と、前記第１凸部から入射した光を透過させる第１中間部と、前記第１中間部を透過した光を出射する第２凸部と、を含み、前記第２レンズ部は、前記第２発光素子から出射された光を入射させる第３凸部と、前記第３凸部から入射した光を透過させる第２中間部と、前記第２中間部を透過した光を出射する第４凸部と、を含み、
前記レンズ部材のうち前記第１中間部と前記第２中間部との間に前記隙間が設けられている、
ことを特徴とする付記１に記載の光モジュール。
【０１３２】
（付記３）前記レンズ部材は、前記第１レンズ部に入射した光のうち前記第１レンズ部と前記隙間との境界面に到達した光を全反射させることを特徴とする付記１または２に記載の光モジュール。
【０１３３】
（付記４）前記レンズ部材は、前記第１レンズ部と前記第２レンズ部との間に、前記第１発光素子から出射された光が前記第２レンズ部に入射しないように遮光する遮光板を有することを特徴とする付記１〜３のいずれか一つに記載の光モジュール。
【０１３４】
（付記５）前記第１レンズ部は、前記第１発光素子から出射された光を入射させる部分を含み、
前記第２レンズ部は、前記第２発光素子から出射された光を入射させる部分を含み、
前記レンズ部材は、前記第１レンズ部の前記第１発光素子から出射された光を入射させる部分と、前記第２レンズ部の前記第２発光素子から出射された光を入射させる部分と、の間に前記遮光板を有する、
ことを特徴とする付記４に記載の光モジュール。
【０１３５】
（付記６）前記遮光板は、前記第１レンズ部と前記第２レンズ部とをつなげる部分に設けられることを特徴とする付記４または５に記載の光モジュール。
【０１３６】
（付記７）前記レンズ部材は、前記第２レンズ部に、前記第１発光素子から出射された光が前記第２レンズ部に入射しないように遮光する遮光膜を有することを特徴とする付記１〜６のいずれか一つに記載の光モジュール。
【０１３７】
（付記８）前記第２レンズ部は、前記第２発光素子から出射された光を入射させる部分を含み、
前記レンズ部材は、前記第２レンズ部の前記第２発光素子から出射された光を入射させる部分に前記遮光膜を有する、
ことを特徴とする付記７に記載の光モジュール。
【０１３８】
（付記９）それぞれ光を受ける第１受光素子および第２受光素子と、
入射した光を透過させて前記第１受光素子へ出射する第１レンズ部と、前記第１レンズ部と隣り合い、入射した光を透過させて前記第２受光素子へ出射する第２レンズ部と、を含む一体のレンズ部材と、
を備え、前記レンズ部材は、前記第１レンズ部と前記第２レンズ部との間に隙間が設けられている、
ことを特徴とする光モジュール。
【０１３９】
（付記１０）前記第１レンズ部は、光を入射させる第１凸部と、前記第１凸部から入射した光を透過させる第１中間部と、前記第１中間部を透過した光を前記第１受光素子へ出射する第２凸部と、を含み、前記第２レンズ部は、光を入射させる第３凸部と、前記第３凸部から入射した光を透過させる第２中間部と、前記第２中間部を透過した光を前記第２受光素子へ出射する第４凸部と、を含み、
前記レンズ部材のうち前記第１中間部と前記第２中間部との間に前記隙間が設けられている、
ことを特徴とする付記９に記載の光モジュール。
【０１４０】
（付記１１）前記レンズ部材は、前記第１レンズ部に入射した光のうち前記第１レンズ部と前記隙間との境界面に到達した光を全反射させることを特徴とする付記９または１０に記載の光モジュール。
【０１４１】
（付記１２）前記レンズ部材は、前記第１レンズ部と前記第２レンズ部との間に、前記第１レンズ部から出射された光が前記第２受光素子に入射しないように遮光する遮光板を有する、
ことを特徴とする付記９〜１１のいずれか一つに記載の光モジュール。
【０１４２】
（付記１３）前記第１レンズ部は、前記第１受光素子へ光を出射する部分を含み、
前記第２レンズ部は、前記第２受光素子へ光を出射する部分を含み、
前記レンズ部材は、前記第１レンズ部の前記第１受光素子へ光を出射する部分と、前記第２レンズ部の前記第２受光素子へ光を出射する部分と、の間に前記遮光板を有する、
ことを特徴とする付記１２に記載の光モジュール。
【０１４３】
（付記１４）前記遮光板は、前記第１レンズ部と前記第２レンズ部とがつながっている部分に設けられることを特徴とする付記１２または１３に記載の光モジュール。
【０１４４】
（付記１５）前記レンズ部材は、前記第２レンズ部に、前記第２レンズ部から出射された光が前記第１受光素子に入射しないように遮光する遮光膜を有する、
ことを特徴とする付記９〜１４のいずれか一つに記載の光モジュール。
【０１４５】
（付記１６）前記レンズ部材は、前記第２レンズ部の前記第２受光素子へ光を出射する部分に前記遮光膜を有する、
ことを特徴とする付記１５に記載の光モジュール。
【０１４６】
（付記１７）前記隙間は、前記第１レンズ部および前記第２レンズ部の各光軸と平行なスリットであることを特徴とする付記１〜１６のいずれか一つに記載の光モジュール。
【符号の説明】
【０１４７】
１００  マイクロレンズ
１１１〜１１６  レンズ部
１１１ａ〜１１６ａ，１１１ｂ〜１１６ｂ  凸レンズ部
１２１ａ〜１２１ｅ，１２２ａ〜１２２ｅ  接続部
１３１ａ〜１３１ｅ  隙間
１５１〜１５６  ＶＣＳＥＬ
１６１〜１６６  光ファイバ
１９１〜１９６  ＰＤ
８０１〜８０５  遮光板
１３０１〜１３０６  遮光膜
【図１】
2019101244.tif 000003
【図２】
2019101244.tif 000004
【図３】
2019101244.tif 000005
【図４】
2019101244.tif 000006
【図５】
2019101244.tif 000007
【図６】
2019101244.tif 000008
【図７】
2019101244.tif 000009
【図８】
2019101244.tif 000010
【図９】
2019101244.tif 000011
【図１０】
2019101244.tif 000012
【図１１】
2019101244.tif 000013
【図１２】
2019101244.tif 000014
【図１３】
2019101244.tif 000015
【図１４】
2019101244.tif 000016
【図１５】
2019101244.tif 000017